(57)【要約】【課題】遊技場が営業時間中又は夜間等の営業時間外において、遊技機の前面扉が不正に開放されることを確実に防止する。【解決手段】遊技機の前面扉１ｂに設けられ当該前面扉１ｂを筐体１ａに開閉可能に施錠する施錠部３２と、キー部３４ａとＩＣタグ部３４ｂを有する施錠キー３４と、前記前面扉１ｂの背後に配置された複数のＩＣタグ読取部３３（３３ａ〜３３ｆ）と、前記複数のＩＣタグ読取部３３（３３ａ〜３３ｆ）からの信号が入力される施錠信号処理部３６と、を備えた遊技機の施錠システムであって、前記施錠部３２は前記施錠信号処理部３６からの信号に基づいて当該施錠部３２の解錠を許可又は不可とする解錠ロック部３２ａを有し、前記施錠信号処理部３６は前記複数のＩＣタグ読取部３３から所定の順序の信号が入力された場合に前記解錠ロック部３２ａに対し解錠を許可する信号を出力する。【選択図】図６
2014168514.tif 000002
【特許請求の範囲】
【請求項１】
遊技機の前面扉に設けられ当該前面扉を筐体に開閉可能に施錠する施錠部と、キー部とＩＣタグ部を有する施錠キーと、前記前面扉の背後に配置された複数のＩＣタグ読取部と、前記複数のＩＣタグ読取部からの信号が入力される施錠信号処理部と、を備えた遊技機の施錠システムであって、
前記施錠部は前記施錠信号処理部からの信号に基づいて当該施錠部の解錠を許可又は不可とする解錠ロック部を有し、
前記施錠信号処理部は前記複数のＩＣタグ読取部から所定の順序の信号が入力された場合に前記解錠ロック部に対し解錠を許可する信号を出力することを特徴とする遊技機の施錠システム。
【請求項２】
前記施錠信号処理部は前記複数のＩＣタグ読取部から所定の順序の信号が入力され、かつ前記施錠キーの識別番号の信号が所定の識別番号である場合に前記解錠ロック部に対し解錠を許可する信号を出力することを特徴とする請求項１に記載の遊技機の施錠システム。
【請求項３】
前記キー部とＩＣタグ部は別体であることを特徴とする請求項１又は２に記載の遊技機の施錠システム。
【発明の詳細な説明】
【技術分野】
【０００１】
本発明はスロットマシン、パチスロ機、パチンコ機等の遊技機の施錠システムに関する。
【背景技術】
【０００２】
例えば、パチスロ機では、複数のリールを配置したリールユニットを収納する筐体と、この筐体に開閉自在に設けられた合成樹脂のフレームからなる前面扉と、前面扉の構成部材であって当該前面扉の下部に取り付けられた腰部パネルと、複数の図柄がそれぞれの表面に配された複数のリールと、スタートスイッチと、ストップスイッチと、制御部と、電源等が備えられている。
【０００３】
スタートスイッチは、遊技メダルやコイン等（以下、メダル等）の遊技媒体が投入されたことを条件に、スタートレバーが遊技者により操作されたこと（以下、「開始操作」という）を検出し、全てのリールの回転の開始を要求する信号を出力する。ストップスイッチは、複数のリールのそれぞれに対応して設けられたストップボタンが遊技者により押されたこと（以下、「停止操作」という）を検出し、該当するリールの回転の停止を要求する信号を出力する。複数のリールには、それぞれに対応して設けられたステッピングモータの駆動力が伝達される。制御部は、スタートスイッチ及びストップスイッチにより出力された信号に基づいて、ステッピングモータの動作を制御し、各リールの回転及びその停止を行う。
【０００４】
また、前面扉と筐体の側部には施錠機構が設けられ、遊技場の従業員等がキー等により施錠機構を解錠することによって前面扉を開放し、電源のオンオフ、設定変更、故障修理、等の作業を行っている。
【０００５】
また、制御部は、基本となる遊技状態である一般遊技状態と、所定の条件を満たしたこと又は抽籤結果に基づいて遊技者にとって有利となる複数種類の特別遊技状態を設定するとともに、種々の遊技状態に応じて、装飾ランプや液晶表示装置又は音声発生装置等を用いた演出を実行する。
【０００６】
ところで、従来の遊技機では、遊技者等により前面扉が不正に開放され、筐体内に収容された種々の機器を不正に改変する等の不正行為を防止するために、前面扉の開閉状態を検知するための開閉検知機構を設けた遊技機が知られている（特許文献１）。このような遊技機では、前面扉が不正に開放された場合に警報音や前面扉が開放されている旨を報知したり、遊技場の制御室で不正な開放を監視制御する等の対策が講じられている。また、不正な前面扉の開放を防止するために、解錠の際に暗号を入力させる施錠機構を用いた遊技機（特許文献２）も知られている。
【先行技術文献】
【特許文献】
【０００７】
【特許文献１】特開２００９−２２３３１号公報
【特許文献２】特開２００８−１４２２４９号公報
【発明の概要】
【発明が解決しようとする課題】
【０００８】
ところで、上述した従来の遊技機では、前面扉の開閉機構として一般にシリンダー錠が用いられている。しかしながら、このような施錠機構は模倣キーやピッキング部材によって簡単に開放されるケースがあり、特に、遊技場の従業員が不在な夜間等の場合は、開閉検知機能が作動したとしても従業員不在のため実質的に機能せず、不正者によって開放された遊技機の内部機器に対し様々な不正行為が行われる恐れがあった。
【０００９】
また、暗号等を用いた施錠機構は錠の開閉に時間を要するため、迅速な開閉が求められる営業時間内の開閉作業には不適切であり、また、解錠用の暗号を不正者に読み取られる可能性も有り、不正な開放行為を確実に防止することはできなかった。
本発明は上記課題を解決するためになされたもので、遊技場が営業時間中及び夜間等の営業時間外において、遊技機の不正開放を確実に防止することができる遊技機の施錠システムを提供することを目的とする。
【課題を解決するための手段】
【００１０】
本発明は上記課題を解決するためになされたもので、本発明に係る遊技機の施錠システムは、遊技機の前面扉に設けられ当該前面扉を筐体に開閉可能に施錠する施錠部と、キー部とＩＣタグ部を有する施錠キーと、前記前面扉の背後に配置された複数のＩＣタグ読取部と、前記複数のＩＣタグ読取部からの信号が入力される施錠信号処理部と、を備えた遊技機の施錠システムであって、前記施錠部は前記施錠信号処理部からの信号に基づいて当該施錠部の解錠を許可又は不可とする解錠ロック部を有し、前記施錠信号処理部は前記複数のＩＣタグ読取部から所定の順序の信号が入力された場合に前記解錠ロック部に対し解錠を許可する信号を出力することを特徴とする。
【００１１】
上記構成によれば、通常の施錠部及びキー部からなる施錠機構とＩＣタグ部及びＩＣタグ読取部からなる施錠機構を併用したことにより、営業時間中は前面扉の迅速な開閉を可能とするとともに、営業時間外はＩＣ読取システムを用いた多重の不正防止手段を講じたことで前面扉が不正に開放されることを確実に防止することができる。
【００１２】
すなわち、複数のＩＣタグ読取部を遊技者側から目視できない前面扉の背後に配置するとともに、施錠部に当該施錠部の解錠を許可又は不可とする解錠ロック部を設け、施錠信号処理部は複数のＩＣタグ読取部からの信号が所定の順序の信号が入力された場合に錠ロック部に対し解錠を許可する信号を出力する。
【００１３】
上記構成によれば、所定の順序でＩＣタグを各ＩＣタグ読取部に近接させないと前面扉を開放することができないため、前面扉の不正開放をより確実に防止することができる。
【００１４】
また、本発明に係る遊技機の施錠システムは、前記施錠信号処理部は前記複数のＩＣタグ読取部から所定の順序の信号が入力され、かつ前記施錠キーの識別番号の信号が所定の識別番号である場合に前記解錠ロック部に対し解錠を許可する信号を出力することを特徴とする。
【００１５】
上記構成によれば、施錠キーが所定の識別番号が付された正規のものであって、かつ、所定の順序でＩＣタグを各ＩＣタグ読取部に近接させないと前面扉を開放することができないため、前面扉の不正開放をさらに確実に防止することができる。
【００１６】
また、本発明に係る遊技機の施錠システムは、前記キー部とＩＣタグ部は別体であることを特徴とする。
上記構成によれば、キー部とＩＣタグ部を別個に管理可能することで、盗難や模倣に対し、施錠システムのセキュリティ度をさらに高めることができる。
【発明の効果】
【００１７】
本発明によれば、遊技場が営業時間中又は夜間等の営業時間外において、遊技機の前面扉が不正に開放されることを確実に防止することができる。
【図面の簡単な説明】
【００１８】
【図１】本発明の実施形態に係る遊技機の機能フロー図。
【図２】本発明の実施形態に係る遊技機の前面扉の構成図。
【図３】本発明の実施形態に係る遊技機の内部構造を示す図。
【図４】本発明の実施形態に係る施錠部の模式図。
【図５】本発明の実施形態に係る施錠キーの模式図。
【図６】本発明の実施形態に係る施錠システムの模式図。
【図７】本発明の実施形態に係る主制御回路の構成例を示すブロック図。
【図８】本発明の実施形態に係る副制御回路の構成例を示すブロック図。
【発明を実施するための形態】
【００１９】
以下、本発明に係る遊技機の施錠システムの実施形態について図面を参照して説明する。
なお、以下の説明ではパチスロ機遊技機（以下、「パチスロ機」という。）を例に説明するが、これに限定されずパチンコ遊技機、スロットマシン等に適用できることはもちろんである。
【００２０】
［パチスロ機の基本的構成］
先ず、パチスロ機１の基本的な構成を図１により説明する。
本実施形態のパチスロ機１では、遊技を行うための遊技媒体としてメダルを用いる。なお、遊技媒体としては、メダル以外にも、コイン、遊技球、遊技用のポイントデータ又はトークン等を適用することもできる。
【００２１】
遊技者によりメダルが投入され、スタートレバーが操作されると、予め定められた数値の範囲（例えば、０〜６５５３５）の乱数から１つの値（以下、乱数値）が抽出される。
【００２２】
内部抽籤手段は、抽出された乱数値に基づいて抽籤を行い、内部当籤役を決定する。内部当籤役の決定により、後述の入賞判定ラインに沿って表示を行うことを許可する図柄の組合せが決定される。なお、図柄の組合せの種別としては、メダルの払い出し、再遊技の作動、ボーナスの作動等といった特典が遊技者に与えられる「入賞」に係るものと、それ以外のいわゆる「ハズレ」に係るものとが設けられている。
【００２３】
また、スタートレバーが操作されると、複数のリールの回転が行われる。その後、遊技者によりストップボタンが押されると、リール停止制御手段は、内部当籤役とストップボタンが押されたタイミングとに基づいて、該当するリールの回転を停止する制御を行う。
【００２４】
パチスロ機１では、基本的に、ストップボタンが押されたときから規定時間（１９０ｍｓｅｃ）内に、該当するリールの回転を停止する制御が行われる。本実施形態では、上記規定時間内にリールの回転に伴って移動する図柄の数を「滑り駒数」と呼び、その最大数を図柄４個分に定める。
【００２５】
リール停止制御手段は、入賞に係る図柄の組合せの表示を許可する内部当籤役が決定されているときは、上記規定時間を利用して、その図柄の組合せが入賞判定ラインに沿って極力表示されるようにリールの回転を停止する。また、リール停止制御手段は、上記規定時間を利用して、内部当籤役によってその表示が許可されていない図柄の組合せが入賞判定ラインに沿って表示されないようにリールの回転を停止する。
【００２６】
こうして、複数のリールの回転がすべて停止されると、入賞判定手段は、入賞判定ラインに沿って表示された図柄の組合せが、入賞に係るものであるか否かの判定を行う。入賞に係るものであるとの判定が行われると、メダルの払い出し等の特典が遊技者に与えられる。以上のような一連の流れがパチスロ機における１回の遊技として行われる。
【００２７】
また、パチスロ機１では、前述した一連の流れの中で、液晶表示装置により行う映像の表示、各種ランプにより行う光の出力、スピーカにより行う音の出力、或いはこれらの組合せを利用して様々な演出が行われる。
【００２８】
スタートレバーが操作されると、前述の内部当籤役の決定に用いられた乱数値とは別に、演出用の乱数値（以下、演出用乱数値）が抽出される。演出用乱数値が抽出されると、演出内容決定手段は、内部当籤役に対応づけられた複数種類の演出内容の中から今回実行するものを抽籤により決定する。
【００２９】
演出内容が決定されると、演出実行手段は、リールの回転が開始されるとき、各リールの回転がそれぞれ停止されるとき、入賞の有無の判定が行われたとき等の各契機に連動させて演出の実行を進める。このように、パチスロ機では、内部当籤役に対応づけられた演出内容を実行することによって、決定された内部当籤役（言い換えると、狙うべき図柄の組合せ）を知る或いは予想する機会が遊技者に提供され、遊技者の興味の向上が図られる。
【００３０】
［パチスロ機の構造］
次に、図２及び図３を参照して、本実施形態に係るパチスロ機１の構造について説明する。ここで、図２はパチスロ機１の前面扉１ａの外観構成を示す図であり、図３は遊技機１の内部構造を示す図である。
【００３１】
（外部構造）
パチスロ機１は、図３に示すように、リールや回路基板等を収容する筐体１ａと、筐体１ａに対して開閉可能に取り付けられる前面扉１ｂとを備える。筐体１ａの内部には、３つのリール３Ｌ，３Ｃ，３Ｒが横並びに設けられている。以下、各リール３Ｌ，３Ｃ，３Ｒを、それぞれ左リール３Ｌ、中リール３Ｃ、右リール３Ｒという。
【００３２】
各リール３Ｌ，３Ｃ，３Ｒは、円筒状に形成されたリール本体と、リール本体の周面に装着された透光性のシート材を有している。シート材の表面には、複数（例えば２１個）の図柄が周方向に沿って連続的に描かれている。
【００３３】
前面扉１ｂの中央には、液晶表示装置１０が設けられている。この液晶表示装置１０は、図柄表示領域４Ｌ，４Ｃ，４Ｒを含む表示画面を備え、正面から見て３つのリール３Ｌ，３Ｃ，３Ｒに重畳する手前側に位置するように設けられている。本実施形態では、図柄表示領域４Ｌ，４Ｃ，４Ｒを含めた表示画面の全体を使って、映像の表示が行われ、演出が実行される。
【００３４】
図柄表示領域４Ｌ，４Ｃ，４Ｒは、３つのリール３Ｌ，３Ｃ，３Ｒのそれぞれに対応して設けられている。この図柄表示領域４Ｌ，４Ｃ，４Ｒは、表示窓としての機能を果たすものであり、その背後に設けられた各リール３Ｌ，３Ｃ，３Ｒを透過することが可能な構成になっている。以下、図柄表示領域４Ｌ，４Ｃ，４Ｒを、それぞれ左表示窓４Ｌ、中表示窓４Ｃ、右表示窓４Ｒという。
【００３５】
表示窓４Ｌ，４Ｃ，４Ｒは、その背後に設けられたリール３Ｌ，３Ｃ，３Ｒの回転が停止されたとき、各リール３Ｌ，３Ｃ，３Ｒの複数種類の図柄のうち、その枠内における上段、中段及び下段の各領域にそれぞれ１個の図柄（合計で３個）を表示する。各表示窓４Ｌ，４Ｃ，４Ｒが有する上段、中段及び下段からなる３つの領域のうち予め定められたいずれかをそれぞれ組合せてなる擬似的なラインを、入賞か否かの判定を行う対象となるライン（入賞判定ライン）として定義する。
【００３６】
本実施形態では、入賞判定ラインとしてセンタライン８が設けられている。センタライン８は、左表示窓４Lの中段、中表示窓４Ｃの中段及び右表示窓４Ｒの中段の組合せからなる。以下、センタライン８を入賞判定ライン８とも言う。
【００３７】
液晶表示装置１０の表示画面の側方には、７セグメントＬＥＤからなる７セグ表示器６が設けられている。この７セグ表示器６は、今回の遊技に投入されたメダルの枚数（以下、投入枚数）、特典として遊技者に対して払い出すメダルの枚数（以下、払出枚数）、パチスロ機内部に預けられているメダルの枚数（以下、クレジット枚数）等の情報をデジタル表示する。
【００３８】
前面扉１ｂの下部（腰部）には、遊技者による操作の対象となる各種装置（メダル投入口１１、ベットボタン１２、スタートレバー１６、ストップボタン１７Ｌ，１７Ｃ，１７Ｒ）、及び腰部パネル３０等が設けられている。
【００３９】
メダル投入口１１は、遊技者によって外部から投下されるメダルを受け入れるために設けられる。メダル投入口１１に受け入れられたメダルは、予め定められた規定数を上限として１回の遊技に投入されることとなり、規定数を超えた分はパチスロ機１の内部に預けることが可能となる（いわゆるクレジット機能）。
【００４０】
ベットボタン１２は、パチスロ機１の内部に預けられているメダルから１回の遊技に投入する枚数を決定するために設けられる。精算ボタン１４は、パチスロ機１の内部に預けられているメダルを外部に引き出すために設けられる。
【００４１】
スタートレバー１６は、全てのリール（３Ｌ，３Ｃ，３Ｒ）の回転を開始するために設けられる。ストップボタン１７Ｌ，１７Ｃ，１７Ｒは、３つのリール３Ｌ，３Ｃ，３Ｒのそれぞれに対応づけられ、対応するリールの回転を停止するために設けられる。以下、ストップボタン１７Ｌ，１７Ｃ，１７Ｒを、それぞれ左ストップボタン１７Ｌ、中ストップボタン１７Ｃ、右ストップボタン１７Ｒという。
【００４２】
メダル払出口１８は、後述のメダル払出装置１２０の駆動により排出されるメダルを外部に導く。メダル払出口１８から排出されたメダルは、メダル受皿１９に貯められる。ランプ（ＬＥＤ等）２０は、演出内容に応じた点消灯のパターンにて光を出力する。本実施形態のランプ２０は、花火玉に形成されている。スピーカ２１Ｌ，２１Ｒは、演出内容に応じた効果音や楽曲等の音を出力する。
【００４３】
また、本発明に係る遊技機の施錠システム３１は、図２乃至図６に示すように、前面扉１ｂの例えば側部に設けられたシリンダー錠等からなる施錠部３２と、施錠部３２の解錠操作に連動して筐体１ａと開閉可能に係合する係合部材３５ａ、３５ｂと、施錠部３２に設けられ施錠部３２の解錠を許可又は不可とする解錠ロック部３２ａと、例えば前面扉１ｂの腰部パネル３０の背面に適当な間隔をおいて配置された複数のＩＣタグ読取部３３（３３ａ〜３３ｆ）と、キー部３４ａ及びＩＣタグ３４ｂを有する施錠キー３４と、解錠ロック部３２ａに解錠不可信号又は解錠許可信号を送信する施錠信号処理部３６とから構成される。その詳細は後述する。
【００４４】
（内部構造）
図３は、パチスロ機１の内部構造を示す斜視図である。図３では、前面扉１ｂが開放され、前面扉１ｂの裏面側の構造及び筐体１ａの内部の構造が示されている。
【００４５】
筐体１ａ内部の上方には、主制御回路４１（図７参照）を構成する主基板１２５が設けられている。主制御回路４１は、内部当籤役の決定、リール３Ｌ，３Ｃ，３Ｒの回転及び停止、入賞の有無の判定といった、パチスロ機１における遊技の主な流れを制御する回路である。主制御回路４１の具体的な構成は後述する。
【００４６】
筐体１ａの内部の中央には、３つのリール３Ｌ，３Ｃ，３Ｒが設けられている。各リール３Ｌ，３Ｃ，３Ｒには、所定の減速比をもったギアを介してステッピングモータ８１Ｌ，８１Ｃ，８１Ｒ（図７参照）が接続されている。３つのリール３Ｌ，３Ｃ，３Ｒ及びステッピングモータ８１Ｌ，８１Ｃ，８１Ｒは、本発明に係る変動表示手段を構成する。
【００４７】
左リール３Ｌの左側には、副制御回路４２（図８参照）を構成する副基板１２６が設けられている。副制御回路４２は、映像の表示等による演出の実行を制御する回路である。
【００４８】
筐体１ａの内部の下方には、多量のメダルを収容可能で、それらを１枚ずつ排出可能な構造を有するメダル払出装置（ホッパー）１２４が設けられている。ホッパー１２４の左側には、パチスロ機１が有する各装置に対して必要な電力を供給するための電源装置１２１が設けられている。
【００４９】
前面扉１ｂ裏側の中央（表示窓４Ｌ，４Ｃ，４Ｒの下方）には、セレクタ１２２が設けられている。セレクタ１２２は、材質や形状等が適正であるメダルか否かを選別する装置であり、メダル投入口１１に受け入れられた適正なメダルをホッパー１２４へ案内する。セレクタ１２２内においてメダルが通過する経路上には、適正なメダルが通過したことを検出するメダルセンサ１３Ｓ（図７参照）が設けられている。
【００５０】
［施錠システム］
以下、本発明に係る施錠システム３１の実施形態を図２乃至図６を参照して説明する。
【００５１】
（構成）
本実施形態に係る施錠システム３１は、図２乃至図６に示すように、前面扉１ｂの側部に設けられた施錠部３２と、例えば前面扉１ｂを構成する腰部パネル３０の背面に配置された複数のＩＣタグ読取部３３（３３ａ〜３３ｆ）と、先端にキー部３４ａを有し基部にＩＣタグ３４ｂが埋め込まれた施錠キー３４と、施錠部３２に設けられキー部３４ａによる解錠を許可又は不可とする解錠ロック部３２ａと、ＩＣタグ読取部３３（３３ａ〜３３ｆ）からの信号を処理し解錠ロック部３２ａに解錠不可信号又は解錠許可信号を送信する施錠信号処理部３６と、施錠部３２の解錠操作に連動して筐体１ａと開閉可能に係合する係合部材３５ａ、３５ｂと、から構成される。
【００５２】
（施錠部）
施錠部３２は、例えばシリンダー錠の場合、図４に示すように、固定筒３７ａと内筒３７ｂとの間に半径方向のタンブラーピン（図示せず）を軸線方向に複数配列している。タンブラーピンは、長手方向の所定位置で分断され、軸線方向に複数配列された全てのものの分断位置が、固定筒３７ａと内筒３７ｂとの境界に一致することで、すなわち所謂シアーラインを一致させることで、固定筒３７ａに対して内筒３７ｂが回動自在となる。内筒３７ｂの後端には内筒３７ｂとともに回動する回動軸３７ｃが連結されており、この回動軸３７ｃに設けられた係止爪の回動に連動してリンク機構が動作する（図示せず）。このリンク機構の動作に連動して係止部材３５ａ、３５ｂが作動し（図３）、前面扉１ｂが筐体１ａに係合又は係合解除される。
【００５３】
さらに、本実施形態では、仮に正規な施錠キーが挿入されても、回動軸３７ｃ（内筒３７ｂ）の回動を許可又は不可とする解錠ロック部３２ａが設けられる。この解錠ロック部材３２ａは、例えば、回動軸３７ｃの端部に設けられた凸部３７ｄと離脱可能に嵌合する凹部３２ｂが設けられ、ソレノイド等によって駆動制御される（図示せず）。
そして、施錠信号処理部３６からの解錠許可信号又は解錠不可信号に応じて、解錠ロック部３２ａが移動し、回転軸３７ｃの凸部３７ｄと解錠ロック部３２ａの凹部３２ｂが嵌合又は離脱する。すなわち、回転軸３７ｃの凸部３７ｄと解錠ロック部３２ａの凹部３２ｂが嵌合している場合は、内筒３７ｂは回動が規制されるため施錠部３２を解錠することはできない。一方、凸部３７ｄと凹部３２ｂが離間している場合は、内筒３７ｂは回動可能であるため、施錠部３２を解錠することができる
【００５４】
したがって、不正な施錠キーはもちろんのこと、正規の施錠キー３４が施錠部３２に挿入されても、解錠ロック部３２ａが作動し、回転軸３７ｃの凸部３７ｄと解錠ロック部３２ａの凹部３２ｂが嵌合している限り（ロック状態）、施錠部３２を解錠することができず、前面扉１ｂが解放されることはない。
なお、解錠ロック部は上記のものに限定されず、例えば、固定筒３７ａの外周面に出没自在なピンを設け、解錠不可の場合は当該ピンを内筒３７ｂに設けた凹部に突出させて内筒３７ｂの回動を阻止するようにしてもよい（図示せず）。また、電磁気的な作用により内筒３７ｂの回動を阻止してもよい（図示せず）。
さらに、解錠ロック部として、回動軸３７ｃに設けられた係止爪や係止部材３５ａ、３５ｂを用いてもよく、その場合は係止爪や係止部材３５ａ、３５ｂの回動動作や係合動作を許可又は不可とする機械的又は電磁的手段が設けられる（図示せず）。
【００５５】
（施錠キー）
施錠キー３４は、図５に示すように、キー部３４ａと施錠キー３４の基部に埋め込まれたＩＣタグ３４ｂから構成される。キー部３４ａは前面扉１ｂの側部に設けられた施錠部３２の鍵穴に差し込まれ前面扉を解錠又は施錠する。
なお、ＩＣタグ３４ｂを施錠キー３４とは別体としてもよく、例えば、ＩＣタグ３４ｂが埋め込まれたカードを用いてもよい（図示せず）。
（ＩＣタグ読取部）
【００５６】
複数のＩＣタグ読取部３３ａ〜３３ｆは、図２に示すように、遊技者にその存在及び配置を目視されないよう、例えば腰部パネル３０の背面に相互に適宜な間隔をおいて配置されている。各ＩＣタグ読取部３３ａ〜３３ｆは施錠キー３４のＩＣタグ３４ｂが近接すると所定の信号を施錠信号処理部３６に出力する。また、各ＩＣタグ読取部３３ａ〜３３ｆは同時に施錠キー３４の識別番号も検出し施錠信号処理部３６に出力する。
【００５７】
（施錠信号処理部）
施錠信号処理部３６は複数のＩＣタグ読取部３３ａ〜３３ｆから信号が入力されると、施錠キー３４の識別番号を確認するとともに各ＩＣタグ読取部３３ａ〜３３ｆから出力される信号の時系列順序を確認し、施錠キー３５が正規なものであるか否か、及び各ＩＣタグ読取部３３ａ〜３３ｆからの信号が予め定められた所定の時系列順序に合致するか否かを判定する。その判定結果が「正」であれば解錠ロック部材３２ａに解錠許可信号を出力しキー部３４ａによる施錠部３２の解錠を可能にする。一方、「否」であれば解錠ロック部３２ａに解錠不可信号を出力しキー部３４ａによる施錠部３２の解錠を不可とする。
なお、照合対象となる施錠キー３４の識別番号及びＩＣタグ読取部３３ａ〜３３ｆの時系列順序の設定値は、例えば主制御回路４１のメインＲＡＭ５３等に格納されるとともに、遊技場の従業員等が必要に応じて設定を変更できるように構成される（図示せず）。
【００５８】
なお、本実施形態に係るＩＣタグ３４ｂ及びＩＣタグ読取部３３を用いた読取システムは、ＳＵＩＣＡ（登録商標）やＦＥＬＩＣＡ（登録商標）システムで用いられている電磁誘導を用いた非接触ＩＣ読取技術が用いられる。
【００５９】
（作用）
このように構成された施錠システム３１において、遊技場が営業時間中の場合、解錠ロック部３２ａは不作動状態とされ（アンロック状態）、前面扉１ｂの開閉は施錠キー３４のキー部３４ａを施錠部３２の鍵穴に差し込み回動することで前面扉１ｂを開放することができる。この開閉作業は遊技場の従業員により行われ、電源のオンオフ、設定変更、故障修理、等の作業が行われる。なお、不正者が不正キー等によって前面扉を不正に開放した場合は、警報システム等によって従業員が迅速に不正開放を把握し、不正行為を防止する。
【００６０】
次に、遊技場が夜間等の営業時間外の場合、主制御部４１は施錠信号処理部３６に解錠ロック部３２ａを作動させる信号を出力する。これにより解錠ロック部３２ａは作動状態（ロック状態）に変更され、施錠キー３４のキー部３４ａのみでは前面扉１ｂは開放できない状態となる。
【００６１】
この状態で、遊技場の従業員が前面扉１ｂを開放する場合は、所定の識別番号を有する正規な施錠キー３４のＩＣタグ３４ｂを、例えば腰部パネル３０の背後の所定の位置に配置された複数のＩＣタグ読取部３３ａ〜３３ｆに所定の順序で近接させる。これにより各ＩＣタグ読取部３３ａ〜３３ｆは所定の信号を時系列的に施錠信号処理部３６に出力する。
【００６２】
施錠信号処理部３６は、ＩＣタグ読取部３３ａ〜３３ｆからの信号が所定の時系列順序の信号である場合に解錠ロック部３２ａを不作動状態（アンロック状態）に変更し、キー部３４ａによる施錠部３２の解錠を可能とする。
一方、各ＩＣタグ読取部３３ａ〜３３ｆからの信号が所定の時系列順序の信号でない場合は、解錠ロック部３２ａは動作状態（ロック状態）のままであり、正規なキー部３４ａを用いても前面扉１ｂを開放することはできない。
【００６３】
また、各ＩＣタグ読取部３３ａ〜３３ｆは施錠キーの識別番号を読み取る機能も有し、施錠信号処理部３６は、施錠キー３４が正規なものであるか否かをその識別番号によって確認する。
したがって、施錠信号処理部３６は、各ＩＣタグ読取部３３ａ〜３３ｆからの信号が所定の時系列的な順序の信号であり、かつ、施錠キー３４の識別番号が正規である場合に解錠ロック部３２ａを不作動状態（アンロック状態）に変更し、施錠キー３４による錠部３５の解錠を可能としてもよい。
【００６４】
（効果）
以上説明したように、本実施形態の施錠システムによれば、通常の施錠キー３４とＩＣ読取システムを併用したことにより、営業時間中は前面扉１ｂの迅速な開閉を可能とするとともに、営業時間外はＩＣ読取システムを用いた多重の不正防止手段を講じたことで前面扉１ｂが不正に開放されることを確実に防止することができる。
【００６５】
すなわち、複数のＩＣタグ読取部３３ａ〜３３ｆを遊技者側から目視できない位置に配置し、かつ、少なくとも所定の順序でＩＣタグ３４ｂを複数のＩＣタグ読取部３３に近接させないと前面扉１を開放することができないため、従業員のいない夜間や休店日等において、前面扉１ｂが不正に開放されたり、不正行為が行われることを確実に防止することができる。
【００６６】
また、不正な模倣キーやピッキング部材を用いても、解錠ロック部３２ａによって施錠部３２の回動が規制されるため、前面扉１ｂの不正開放を防止することができる。
なお、上記実施形態では、６個のＩＣタグ読取部３３ａ〜３３ｆを腰部パネル３０の背後に配置した例を説明したが、設置個数は適宜増減可能であり、また、配置箇所も前面扉１ｂや筐体１ａの他の位置、例えば前面扉１ｂの四隅等に配置してもよい。さらに、配置個数、配置個所、読取順序を定期的に適宜変更することで施錠システムのセキュリティレベルをさらに向上させることができる。
【００６７】
また、上記実施形態では、ＩＣタグ３４ｂを施錠キー３４に埋め込む形態としたが、これに限定されず、施錠キー３４と別体にしたＩＣカードを用いてもよい。これにより、キー部とＩＣタグ部を別個に管理することが可能となり、盗難や模倣に対し、施錠システムのセキュリティレベルをさらに高めることができる。
また、施錠部もシリンダー錠に限定されず、電磁気、暗証、電子ロック機構等を用いた他の形式の錠部材を用いてもよい。
さらに、ＩＣタグの代わりに超音波送受信機を用いた読取システムを用いてもよい。
【００６８】
［制御部］
次に、図７及び図８を参照して、本実施形態におけるパチスロ機１が備える制御部の構成について説明する。パチスロ機１は、主制御回路４１、副制御回路４２、電源回路４０、及び周辺装置（アクチュエータ等）を備える。
【００６９】
（主制御回路）
主制御回路４１は、図７に示すように、メインＣＰＵ５１、メインＲＯＭ５２及びメインＲＡＭ５３、タイマー回路等を備えるメイン処理部５０と、メイン処理部５０に接続され副制御回路４２や周辺装置に通信データを一方向又は双方向に送受信するマスターＩ／Ｆ部７０と、クロックパスス発生回路５５と、分周器５５と、ＷＤＴ（ウォッチドッグタイマ）５８と、電源回路（基板）４０から電力の供給を受ける主基板電源回路５９等を備えている。
【００７０】
〈メイン処理部〉
メイン処理部５０において、メインＲＯＭ５２にはメインＣＰＵ５１により実行される制御プログラム（図示せず）、内部抽籤テーブル等のデータテーブル（図示せず）、副制御回路に対して各種制御指令（コマンド）を送信するためのデータ等が記憶されている。また、メインＲＡＭ５３には、制御プログラムの実行により決定された内部当籤役等の各種データを格納する格納領域（図示せず）が設けられる。
【００７１】
メイン処理部５０では、クロックパルス発生回路５４及び分周器５５がクロックパルスを発生し、メインＣＰＵ５１は発生されたクロックパルスに基づいて制御プログラムを実行する。
【００７２】
また、メインＣＰＵ５１は、スイッチ等からの信号入力を受けて、ステッピングモータ８１Ｌ，８１Ｃ，８１Ｒ等の周辺装置の動作を制御する。
【００７３】
〈マスターＩ／Ｆ部〉
マスターＩ／Ｆ部７０はメイン処理部５０から送信される複数の通信データにそれぞれ含まれる複数のデータ及び送信コマンドを格納領域に格納する格納処理機能と、各通信データ毎にデータ構造を再編成してパケットデータとして副制御回路４２に順次送信する送信処理機能を有する。また、他の周辺装置との間で通信データの送受信を行う。
【００７４】
マスターＩ／Ｆ部７０と副制御回路４２とは光ケーブル１１１で接続され、パケット形式の通信データをマスターＩ／Ｆ部から光ケーブル１１１を介して副制御回路に送信する。
【００７５】
具体的に説明すると、マスターＩ／Ｆ部７０は、マスターレジスタ制御部７１、ＣＰＵＩ／Ｆ部７２、乱数発生器７３、送信制御部７４、受信制御部７５、Ｉ／Ｏ制御部７６を備え、外部のリール位置検出回路８３、メダル払出装置１２０等と通信データの送受信をおこない、また、副制御回路４２に演出のためのパケット形式の通信データを送信するとともに、ストップスイッチ１７Ｓ、メダルセンサ１３Ｓ、スタートスイッチ１６Ｓ、精算スイッチ１４Ｓ等からの信号を受信し、表示部駆動回路８４及び７ＳＥＧ表示器６に通信データを送信する。
【００７６】
また、乱数発生器７３は予め定められた範囲の乱数（例えば、０〜６５５３５）を発生し、メインＣＰＵ５１は発生された乱数の中から１つの値を抽出する。
【００７７】
また、メイン処理部５０とマスターＩ／Ｆ部７０とは、例えばデータバスで接続されている（図示せず）。
【００７８】
このように、マスターＩ／Ｆ部７０と副制御部４２を光ケーブル１１１で接続したことで、従来の電気ケーブルと比較して外部からの電磁界やノイズ等による影響を排除することが可能となる。
【００７９】
（副制御回路）
図８は、本実施形態におけるパチスロ機１の副制御回路４２の構成例を示すブロック図である。
【００８０】
副制御回路４２は、主制御回路４１と光ケーブル１１１によって接続されており、主制御回路４１から送信される通信データに基づいて演出内容の決定や実行等の処理を行う。副制御回路４２は、基本的に、サブＣＰＵ９１、サブＲＯＭ９２、サブＲＡＭ９３、レンダリングプロセッサ９４、描画用ＲＡＭ９５、ドライバ９６、ＤＳＰ（デジタルシグナルプロセッサ）１００、オーディオＲＡＭ１０１、Ａ／Ｄ変換器１０２、アンプ１０３及び松明駆動回路１０５、電源回路（基板）４０から電力の供給を受ける副基板電源回路１０６等を備えている。
【００８１】
サブＣＰＵ９１は、主制御回路４１から送信された通信データに応じて、サブＲＯＭ９２に記憶されている制御プログラムに従い、映像、音、光の出力の制御を行う。サブＲＯＭ９２は、基本的に、プログラム記憶領域とデータ記憶領域によって構成される。
【００８２】
サブＲＯＭ９２のプログラム記憶領域には、サブＣＰＵ９１が実行する制御プログラムが記憶されている。例えば、制御プログラムには、主制御回路４１との通信を制御するための主基板通信タスクや、演出用乱数値を抽出し、演出内容（演出データ）の決定及び登録を行うための演出登録タスク、決定した演出内容に基づいて液晶表示装置１０による映像の表示を制御する描画制御タスク、ランプ２０による光の出力を制御するランプ制御タスク、スピーカ２１Ｌ，２１Ｒによる音の出力を制御する音声制御タスク等が含まれる。
【００８３】
データ記憶領域は、各種データテーブルを記憶する記憶領域、各演出内容を構成する演出データを記憶する記憶領域、映像の作成に関するアニメーションデータを記憶する記憶領域、ＢＧＭや効果音に関するサウンドデータを記憶する記憶領域、光の点消灯のパターンに関するランプデータを記憶する記憶領域等が含まれている。
【００８４】
サブＲＡＭ９３は、決定された演出内容や演出データを登録する格納領域や、主制御回路４１から送信される内部当籤役等の各種データを格納する格納領域が設けられている。
【００８５】
また、副制御回路４２には、その動作が制御される周辺装置として、液晶表示装置１０、スピーカ２１Ｌ，２１Ｒ、ランプ２０及び役物２２が接続されている。
【００８６】
サブＣＰＵ９１、レンダリングプロセッサ９４、描画用ＲＡＭ（フレームバッファを含む）９５及びドライバ９６は、演出内容により指定されたアニメーションデータに従って映像を作成し、作成した映像を液晶表示装置１０により表示する。
【００８７】
また、サブＣＰＵ９１、ＤＳＰ１００、オーディオＲＡＭ１０１、Ａ／Ｄ変換器１０２及びアンプ１０３は、演出内容により指定されたサウンドデータに従ってＢＧＭ等の音をスピーカ２１Ｌ，２１Ｒにより出力する。また、サブＣＰＵ９１は、演出内容により指定されたランプデータに従ってランプ２０の点灯及び消灯を行う。
【００８８】
（周辺装置）
主制御回路４１には、ストップスイッチ１７Ｓ、メダルセンサ１３Ｓ、スタートスイッチ１６Ｓ、精算スイッチ１４Ｓ及びベットスイッチ１２Ｓからの信号が入力される。
【００８９】
ストップスイッチ１７Ｓは、各ストップボタン１７Ｌ，１７Ｃ，１７Ｒが遊技者により押されたこと（停止操作）を検出する。このストップスイッチ１７Ｓは、本発明に係る停止操作検出手段を構成する。
【００９０】
スタートスイッチ１６Ｓは、スタートレバー１６が遊技者により操作されたこと（開始操作）を検出する。このスタートスイッチ１６Ｓは、本発明に係る開始操作検出手段を構成する。精算スイッチ１４Ｓは、精算ボタン１４が遊技者により押されたことを検出する。
【００９１】
メダルセンサ１３Ｓは、メダル投入口１１に受け入れられたメダルが前述のセレクタ３５内を通過したことを検出する。また、ベットスイッチ１２Ｓは、ベットボタン１２が遊技者により押されたことを検出する。メダルセンサ１３Ｓ及びベットスイッチ１２Ｓは、投入操作検出手段を構成する。
【００９２】
また、主制御回路４１により動作が制御される周辺装置としては、ステッピングモータ８１Ｌ，８１Ｃ，８１Ｒ、７セグ表示器６及びメダル払出装置１２０、施錠信号処理部３６等がある。
【００９３】
モータ駆動回路８２は、各リール３Ｌ，３Ｃ，３Ｒに対応して設けられたステッピングモータ８１Ｌ，８１Ｃ，８１Ｒの駆動を制御する。リール位置検出回路８３は、発光部と受光部とを有する光センサにより、リールが一回転したことを示すリールインデックスを各リール３Ｌ，３Ｃ，３Ｒに応じて検出する。
【００９４】
ステッピングモータ８１Ｌ，８１Ｃ，８１Ｒは、運動量がパルスの出力数に比例し、回転軸を指定された角度で停止させることが可能な構成を備えている。ステッピングモータ８１Ｌ，８１Ｃ，８１Ｒの駆動力は、所定の減速比をもったギアを介して各リール３Ｌ，３Ｃ，３Ｒに伝達される。各ステッピングモータ８１Ｌ，８１Ｃ，８１Ｒに対して１回のパルスが出力されるごとに、各リール３Ｌ，３Ｃ，３Ｒは一定の角度で回転する。
【００９５】
主制御回路５１は、リールインデックスを検出してからステッピングモータ８１Ｌ，８１Ｃ，８１Ｒに対してパルスを出力した回数をカウントすることによって、各リール３Ｌ，３Ｃ，３Ｒの回転角度（主に、リールが図柄何個分だけ回転したか）を管理する。
【００９６】
ここで、各リール３Ｌ，３Ｃ，３Ｒの回転角度の管理について、具体的に説明する。ステッピングモータ８１Ｌ，８１Ｃ，８１Ｒに対して出力されたパルスの数は、メインＲＡＭ５３に設けられたパルスカウンタによって計数される。そして、図柄１つ分の回転に必要な所定回数（例えば１６回）のパルスの出力がパルスカウンタで計数される毎に、メインＲＡＭ５３に設けられた図柄カウンタが１ずつ加算される。図柄カウンタは、各リール３Ｌ，３Ｃ，３Ｒに応じて設けられている。図柄カウンタの値は、リール位置検出回路８３によってリールインデックスが検出されるとクリアされる。
【００９７】
このように、本実施形態では、図柄カウンタを管理することにより、リールインデックスが検出されてから図柄何個分の回転が行われたのかを管理するようになっている。したがって、各リール３Ｌ，３Ｃ，３Ｒの各図柄の位置は、リールインデックスが検出される位置を基準として検出される。
【００９８】
上述したように、本実施形態では、滑り駒数の最大数を図柄４個分に定めている。したがって、左ストップボタン１７Ｌが押されたときに左表示窓４Ｌの中段にある左リール３Ｌの図柄と、その４個先の図柄までの範囲内にある各図柄が、左表示窓４Ｌの中段に停止可能な図柄となる。
【００９９】
表示部駆動回路８４は、７セグ表示器６の動作を制御する。ホッパー駆動回路８５は、ホッパー１２４の動作を制御する。また、払出完了信号回路８６は、ホッパー１２４に設けられたメダル検出部が行うメダルの検出を管理し、ホッパー１２４から外部に排出されたメダルが払出枚数に達したか否かをチェックする。
【０１００】
また、主制御回路４１は、遊技場が夜間や店休日等の営業時間外の場合、施錠信号処理部３６を介して施錠部３２の解錠ロック部３２ａに解錠不可信号を送信し、解錠ロック部３２ａを作動状態（ロック状態）とする。一方、遊技場が営業時間中であれば、解錠ロック部３２ａに解錠許可信号を送信し、解錠ロック部３２ａを不作動状態（アンロック状態）とする。
【０１０１】
上述した一実施形態のパチスロ機１では、入賞判定ラインを1ラインとしたが、本発明に係る入賞判定ラインとしては、その位置や数を任意に設定することができる。本発明に係る入賞判定ラインとしては、例えば、トップラインとボトムラインに設定し、その他の直線状のラインを無効ラインとしてもよい。
【０１０２】
以上、本発明の一実施形態に係る遊技機の施錠システムについて、その作用効果も含めて説明したが、本発明はここで説明した実施形態に限定されるものではない。例えば、施錠部３２はシリンダー錠に限らず、他の種々の形式の錠にも適用できる。また、解錠ロック部３２ａも機械的、電子的なロック機構を用いることができる。さらに、ＩＣタグ読取部３３の設置個数は適宜増減可能であり、また、配置箇所も前面扉１ｂや筐体１ａの他の位置、例えば前面扉１ｂの四隅等に配置してもよい。
【０１０３】
また、本実施形態では施錠システムをパチスロ機に適用した例を説明したが、パチンコ機やスロットマシン等の遊技機に適用できることはもちろんであるが遊技機以外の施錠機構にも適用できる。
【０１０４】
このように、上述した実施形態は、例として提示したものであり、発明の範囲を限定することは意図していない。これら新規な実施形態は、その他の様々な形態で実施されることが可能であり、発明の要旨を逸脱しない範囲で、種々の省略、組み合わせ、置き換え、変更を行うことができる。これら実施形態やその変形は、発明の範囲や要旨に含まれるとともに、特許請求の範囲に記載された発明とその均等の範囲に含まれる。
【符号の説明】
【０１０５】
１…パチスロ機、１ａ…筐体、１ｂ…前面扉、３Ｌ，３Ｃ，３Ｒ…リール、４Ｌ，４Ｃ，４Ｒ…図柄表示領域、１０…液晶表示装置、１１…メダル投入口、１２…ベットボタン、１４…精算ボタン、１６…スタートレバー、１７Ｌ，１７Ｃ，１７Ｒ…ストップボタン、１８…メダル払出口、２０…ランプ、２１Ｌ，２１Ｒ…スピーカ、３０…腰部パネル、３１…施錠システム、３２…施錠部、３２ａ…解錠ロック部、３３（３３ａ〜３３ｆ）…ＩＣタグ読取部、３４…施錠キー、３４ａ…キー部、３４ｂ…ＩＣタグ、５ａ，３５ｂ…係合部材、３６…施錠信号処理部、３７ａ…固定筒、３７ｂ…内筒、３７ｃ…回動軸、４１…主制御回路、４２…副制御回路。
【図１】
2014168514.tif 000003
【図２】
2014168514.tif 000004
【図３】
2014168514.tif 000005
【図４】
2014168514.tif 000006
【図５】
2014168514.tif 000007
【図６】
2014168514.tif 000008
【図７】
2014168514.tif 000009
【図８】
2014168514.tif 000010